(57)【特許請求の範囲】
【請求項１】
飲料水供給装置であって、
加圧水を原水として取入れる原水取入れ手段と、
前記原水取入れ手段の下流に設けられ、水質改善材を含む水質改善手段と、
前記原水取入れ手段から供給される前記原水の通水量を制御して、前記水質改善手段の導入部における適正水位を維持する維持手段と、
前記水質改善手段による水質改善後の水を貯留する貯留手段と、
前記貯留手段に貯留された水を供給する給水手段と、
前記導入部の上部空間及び前記貯留手段の上部空間を大気に連通させる大気連通部と、
を備えることを特徴とする飲料水供給装置。
【請求項２】
前記維持手段は、
前記導入部における水位を検知する検知手段と、
前記原水取入れ手段から供給される前記原水を受け入れて該原水の前記通水量を制御する通水制御手段と、
前記通水制御手段が受け入れた前記原水を前記水質改善手段へ導く流路と、
前記流路を開閉する流路開閉機構と、
前記流路開閉機構の動作を制御する機構制御手段と、
を備える、請求項１記載の飲料水供給装置。
【請求項３】
前記検知手段は、
フロート部材と、
リンク部材であって、一方の端に前記フロート部材が一体的に接続され、他方の端に、回転中心と、この回転中心近傍に位置する作用点と、が形成され、前記作用点が前記流路開閉機構を押圧し、又は前記流路開閉機構への押圧を解除するように構成されたリンク部材と、
を有する、請求項２記載の飲料水供給装置。
【請求項４】
前記貯留手段の上端が閉塞されるように構成されている、請求項１記載の飲料水供給装置。
【請求項５】
前記貯留手段は、仕切り板によって上下に仕切られる貯留槽と冷却室と、を備え、前記冷却室は、前記貯留槽の下部に設けられ、冷凍機によって冷却されるように構成されている、請求項１記載の飲料水供給装置。
【請求項６】
前記貯留手段は、断熱材で覆われている、請求項１記載の飲料水供給装置。
【請求項７】
前記水質改善手段は、メッシュを備える第一セクションと、活性炭を備える第二セクションと、中空糸膜を備える第三セクションと、を有し、前記原水取入れ手段から供給される前記原水は、前記第一セクション、前記第二セクション、前記第三セクションの順で、前記水質改善手段を通過する、請求項１記載の飲料水供給装置。
【請求項８】
前記水質改善手段は、メッシュを備える第一セクションと、活性炭を備える第二セクションと、中空糸膜を備える第三セクションと、を有し、前記原水取入れ手段から供給される前記原水は、前記第一セクション、前記第二セクション、前記第三セクションの順で、前記水質改善手段を通過し、
前記第三セクションの少なくとも一部は前記冷却室内に収容される、請求項５記載の飲料水供給装置。
【請求項９】
前記大気連通部はエアフィルターを備える、請求項１記載の飲料水供給装置。
【発明の詳細な説明】
【技術分野】
【０００１】
本開示は、飲料水供給装置に関する。具体的には、喫茶店及び食堂などの各種飲食店、社員食堂、或いはオフィスなどに設置され、温水及び冷水の両方又は一方を提供することができる飲料水供給装置に関する。さらに具体的には、貯水タンクを排除して、例えば水道水を直接取り込むことにより、貯水タンクを運搬したり貯水タンクを付け替えたりすることが不要であるタイプの飲料水供給装置に関する。
【背景技術】
【０００２】
飲料水供給装置としては、例えば特許文献１に示すように、水道水をフィルターに通してその水道水を濾過し、濾過された水を供給する装置が知られている。この装置では、水道水は、その水道水の圧力（水圧）によってフィルターを通過し得る。フィルターは、冷水タンク及び／又は温水タンクの内側に取り付けられても良いし、冷水タンク及び／又は温水タンクの上流に取り付けられても良い。
【０００３】
特許文献２に記載の冷水機では、冷水機本体の内部上側部分に冷水タンクが配置されている。この冷水タンクの内部には、その内部を貯水部と冷水部とに仕切る仕切部材が配置されている。この仕切部材の下面には、例えば不織布で包まれた活性炭を収納したカートリッジが設けられている。水道水は、そのカートリッジによって濾過されて飲料水として供給される。
【０００４】
上記の従来の技術においては、水道水等の水を、水圧を利用して強制的に水質改善材（フィルター又はカートリッジ）を通過させる方式が用いられている。この場合、十分な水質改善時間が得られないまま、水が水質改善材中を通過してしまう懸念がある。場合によっては、水質改善材中に特定の水路ができてしまい、その水路のみを水が通過して、水質改善効果が極端に落ちてしまう事があった。
【先行技術文献】
【特許文献】
【０００５】
【特許文献１】特開２００２-１０７０３１号
【特許文献２】特開平５-１４９６６３号
【発明の概要】
【発明が解決しようとする課題】
【０００６】
上記従来の飲料水供給装置において、水質改善材によって良好に水質の改善を図るために、原水が水質改善材に接する時間を十分に確保することが要請されていた。しかしながら、水道水、或いはポンプ等でくみ上げる方式の加圧水の場合においては、原水が水質改善材に接する時間の期待値に対し、実際には圧力に応じて現実値（原水が水質改善材に実際に接する時間）が異なることがあった。
【０００７】
十分な水質改善を図ることが可能な飲料水供給装置を提供することが望ましい。
【課題を解決するための手段】
【０００８】
本第一発明の飲料水供給装置は、加圧水を原水として取入れる原水取入れ手段と、前記原水取入れ手段の下流に設けられ、水質改善材を含む水質改善手段と、前記原水取入れ手段から供給される前記原水の通水量を制御して、前記水質改善手段の導入部における適正水位を維持する維持手段と、前記水質改善手段の下流に設けられ、水質改善後の水を貯留する貯留手段と、前記貯留手段に貯留された水を供給する給水手段と、前記導入部の上部空間及び前記貯留手段の上部空間を大気に連通させる大気連通部と、を備えることを特徴とする飲料水供給装置。
【０００９】
この飲料水供給装置によれば、大気連通部が設けられていることにより、水質改善材の上部に作用する圧力は、大気圧と、維持手段によって維持される導入部の水位に応じて定まる所定の水圧と、に応じた圧力となる。例えば、適正水位を、水質改善材の上端近くに設定しておくと、水質改善材の上部に作用する圧力は、ほぼ大気圧に応じた圧力となる（大気圧に近い圧力となる）。
【００１０】
また、給水手段を開放した際、水は水質改善手段の下流側にある貯留手段から供給されるが、貯留手段も大気と連通している。このため、給水の際にも、水質改善手段には不要な圧力は作用しない。換言すれば、水質改善手段には大気圧レベルの圧力が作用するにとどまる。
【００１１】
本開示の飲料水供給装置によれば、水質改善材の上部（上流側）に大きな圧力（不要に過度な圧力）が作用することを回避し得る。また、水質改善材の下部（下流側）が大きな圧力で吸引されることも回避し得る。
【００１２】
これにより、水質改善材において、水は自身の自重に応じた速度で流れ、自重に応じた速度以上の速度で流れることがない。
また、水質改善材の上部に大きな圧力が作用することを回避することで、水質改善材中に意図しない特定の水路が形成されてしまうことを回避できる。これにより、水がその特定の水路のみを通過してしまって極端に水質改善効果が落ちてしまう、という問題が生じることを回避し得る。
【００１３】
本開示の飲料水供給装置によれば、水質改善材において水が自重に応じた速度で流れ、不要に大きい速度で流れないため、十分な水質改善時間を確保することができる。よって、十分に水質改善された飲料水が常時得られ得る。
【００１４】
また、本第二発明の飲料水供給装置では、維持手段は、前記導入部における水位を検知する検知手段と、前記原水取入れ手段から供給される前記原水を受け入れて該原水の前記通水量を制御する通水制御手段と、前記通水制御手段が受け入れた前記原水を前記水質改善手段へ導く流路と、前記流路を開閉する流路開閉機構と、前記流路開閉機構の動作を制御する機構制御手段と、を備える、請求項１記載の飲料水供給装置。
【００１５】
これによって、大気連通された導入部の水位を検出しながら通水量が制御できる。このため、常に正確な水位を検出及び維持することができる。例えば、圧力水であっても、流路を開閉する流路開閉機構を機構制御手段で制御するだけで、流路の通水量が調整できるので、水質改善手段の導入部の水位を安定かつ適正に維持することができる。
【００１６】
また、本第三発明の飲料水供給装置では、検知手段は、フロート部材と、リンク部材であって、一方の端に前記フロート部材が一体的に接続され、他方の端に、回転中心と、この回転中心近傍に位置する作用点と、が形成され、前記作用点が前記流路開閉機構を押圧し、又は前記流路開閉機構への押圧を解除するように構成されたリンク部材とを有する、請求項２記載の飲料水供給装置。  
【００１７】
これによれば、フロート部材の浮力を大幅に増幅可能であり、流路開閉機構を、加圧水に対抗できる力が生じるよう動作させることができる。このため、流路開閉機構の確実な動作を実現できる。
【００１８】
作用点の位置、フロート部材の形状、大きさ、又は全体の長さ等のパラメータを変更することで、流路開閉機構によって流路を閉鎖した際の閉鎖圧を自由に設定可能である。
【発明の効果】
【００１９】
本開示の飲料水供給装置によれば、例えば水道水等の加圧水が原水として飲料水供給装置に供給される場合、加圧水（原水）における圧力が除かれ、原水には大気圧が作用するのみとなる。これにより、水位を予め定めた任意の位置に安定させることができる。このため、安定かつ効果的な水質改善効果が得られる。
【００２０】
以下、図面に基づいて本開示の飲料水供給装置の実施形態を説明する。
なお、以下に説明する実施形態はあくまで一例であり、本開示の要旨を逸脱しない範囲で当業者が行う種々の設計的改良も本開示の範囲に含まれる。
【図面の簡単な説明】
【００２１】
【図１】本開示の一実施形態を示す飲料水供給装置の全体斜視図である。
【図２】飲料水供給装置の垂直断面図である。
【図３】飲料水供給装置の垂直断面図の部分拡大図である。
【図４】図４（ａ），４（ｂ）は、通水制御ユニットの動作説明図である。
【図５】図５（ａ）は弁体の正面図、図５（ｂ）は弁体の底面図、図５（ｃ）はＡ−Ａ断面図である。
【図６】原水取入れ手段、水質改善手段、維持手段、及び貯留ユニットを含む主要手段の動作及び状態を示す説明図である。
【発明を実施するための形態】
【００２２】
図１において、飲料水供給装置１００はフロアＦ上に設置されている。
飲料水供給装置１００はハウジング２０１を有している。ハウジング２０１は、前方へやや湾曲膨出する縦長の略直方体形状を有している。ハウジング２０１の前面（図１の左面）においては、その前面における上下方向における中間位置が凹陥して、凹陥部２１１が形成されている。凹陥部２１１には、左右に並んで、給水手段の一例として、冷水コック１７０と温水コック１７５とが設けられている。なお、２つの冷水コック１７０，温水コック１７５は、図１の配置とは逆の配置であっても良い。
【００２３】
冷水コック１７０，温水コック１７５の下方に位置する、凹陥部２１１の下側面は、飲用カップの置き台２１４になっている。冷水コック１７０，温水コック１７５には、それぞれ、湾曲して下方へ延びる１個のレバー体２１５が設けられている。冷水コック１７０のレバー体２１５、又は温水コック１７５のレバー体２１５を前方から押し操作することによって、冷水コック１７０，温水コック１７５が開放されるようになっている。
【００２４】
図２及び図３に示すように、濾過容器１３０の上部外周と貯留槽１５０の上端外周とが、パッキング等のシール部材１５７を介して接続されている。貯留槽１５０の上端は、濾過容器１３０によって閉塞（密閉）される。
【００２５】
濾過容器１３０は、蓋１３０ａを有し、パッキング等のシール材１３４を介して、蓋１３０ａによって閉塞（密閉）される。蓋１３０ａには、通水制御手段１１０（通水制御手段の一例）がネジ（螺合）により固定されている。通水制御手段１１０の上部流路１１１ａが、図示しない内部配管を通じて、本体背面に設けられた接続口１２０と接続されている。上部流路１１１ａ及び接続口１２０の両方又は一方は、原水取り入れ手段の一例に相当し得る。
【００２６】
ただし、外部ホース（図示省略）を通水制御手段１１０の上部流路１１１ａに直接接続する場合は、この上部流路１１１ａが原水取り入れ手段の一例に相当すると理解されても良い。
【００２７】
蓋１３０ａには第一の大気連通部１３０ｂが設けられている。第一の大気連通部１３０ｂは、図示しない連通部よって、ハウジング２０１外の大気と連通している。第一の大気連通部１３０ｂにはエアフィルター（図示省略）が設けられていても良い。第一の大気連通部１３０ｂにより、エアフィルターを介して、大気の流通が可能となり得る。具体的には、第一の大気連通部１３０ｂにより、濾過容器１３０の導入部１３１内の空間が大気開放され得る。
【００２８】
濾過容器１３０の外周には第二の大気連通部１５４が形成されている。第二の大気連通部１５４は、図示しない連通部よって、ハウジング２０１外の大気と連通している。第二の大気連通部１５４にはエアフィルター（図示省略）が設けられていても良い。第二の大気連通部１５４により、エアフィルターを介して、大気の流通が可能となり得る。具体的には、貯留槽１５０の上部空間が大気開放され得る。
【００２９】
次に、図３、図４（ａ），４（ｂ）及び図５（ａ）−図５（ｃ）に従って、検知手段について説明する。また、通水制御手段の一例としての通水制御手段１１０について説明する。通水制御手段１１０には、上部流路１１１ａと、この上部流路１１１ａより内径が若干大きい下部流路１１１ｂと、を含む流路１１１が形成されている。
【００３０】
上部流路１１１ａと下部流路１１１ｂとの間の段部１１１ｃには弁座１１２が配設されている。下部流路１１１ｂに配設された弁体１１３の弁部１１３ａが弁座１１２に対して押圧又は離間するように構成されている。これにより流路１１１が開閉され得るようになっている。
【００３１】
図５に示すように、弁体１１３は弁部１１３ａとスライドガイド部１１３ｂとを含む。本実施形態では、開口部１１２ａの径＜弁部１１３ａの径＜スライドガイド部１１３ｂの径の関係が成り立っている。スライドガイド部１１３ｂの周囲には、溝部１１３ｃ、１１３ｄが設けられている。弁部１１３ａが弁座１１２から離間した際、上部流路１１１ａから流入した水は下部流路１１１ｂを経て流路１１１の出口に放出され得る。
【００３２】
弁部１１３ａによる開口部１１２ａの開閉動作は、次のように実現される。具体的には、板状アーム１１６の一方の端に浮力発生手段の一例であるフロート１１５を一体的に接続され、板状アーム１１６の他方の端には回転中心１１６ａと作用点１１６ｂとが設けられている。作用点１１６ｂは回転中心１１６ａの近傍に位置する。
【００３３】
この板状アーム１１６によって、作用点１１６ｂにて、スライドガイド部１１３ｂを下から押圧し、又は、スライドガイド部１１３ｂへの押圧を解除することにより、開口部１１２ａの開閉動作が実現され得る。板状アーム１１６は、リンク部材の一例である。
【００３４】
下部流路１１１ｂの下側には、スリット１１１ｄが形成されている。弁体１１３のスライドガイド部１１３ｂの下側には、スリットが形成されている。
板状アーム１１６における回転中心１１６ａは、下部流路１１１ｂの横側のスリット１１１ｄの延長上に設けられた板１１１ｅの図示しない回転中心孔に回動可能に固定されている。
【００３５】
板状アーム１１６は、下部流路１１１ｂの下部のスリット１１１ｄ及び弁体１１３のスライドガイド部１１３ｂのスリット内で管路の中央を横断し、横方向の動きを規制されるかたちでフロート１１５本体に繋がっている。フロート１１５の上昇時は、管路の中央を横断する板状アーム１１６が、作用点１１６ｂで弁体１１３を押し上げるように弁体１１３と接している（図４（ａ））。
【００３６】
水位が基準水位Ｓより低くなり、フロート１１５が下方に動くと（反時計方向に動くと）、下部流路１１１ｂのスリット１１１ｄで管路の中央を横断する板状アーム１１６も反時計方向に動く。
【００３７】
これによって、弁体１１３は下がる方向にスライドし、弁部１１３ａは、弁座１１２の開口部１１２ａから離間する方向に下がって、流路１１１が連通する。これによって、通水制御手段１１０の上部流路１１１ａから加圧された原水を受け入れることができ、その原水は水質改善手段の導入部１３１に供給される。
【００３８】
水質改善手段の導入部１３１に原水が供給されると、水位はＬからＳに上昇しフロート１１５も上昇する。フロート１１５が上昇して時計方向に動くと、通水制御手段１１０の下部流路１１１ｂのスリット１１１ｄ内で管路の中央を横断する板状アーム１１６の作用点１１６ｂが、弁体１１３を押し上げる方向にスライドする。これにより、弁部１１３ａが、通水制御手段１１０の流路１１１の段部１１１ｃに形成されたドーム状の弁座１１２の開口部１１２ａに当接する方向に押し上げられる。
【００３９】
これによって、流路１１１が閉鎖され、通水制御手段１１０の上部流路１１１ａからの原水の供給が停止する。フロート１１５位置が下がると流路開閉部材も下がり、原水の流路１１１が形成され、フロート１１５位置が上がると流路開閉部材が上がり水道水の流路１１１が閉鎖される、という動作が常時連続的に行われることによって、概ね一定の貯蔵水位が維持され得る。
【００４０】
水質改善システムについて初期状態から説明する。通水制御手段１１０内の流路１１１の下部から供給される原水である被水質改善水１２１ａは、水質改善手段の第一セクションである水質改善手段の導入部１３１に導入され、導入部１３１の底部に設置されたメッシュ１３２により第一回目の水質改善を受ける。
【００４１】
さらに、被水質改善水１２１ａは、水質改善手段の第二セクションである活性炭１３７で第二回目の水質改善を受ける。活性炭１３７は、粉末状、顆粒状、ペレット状、及び固形状のいずれの形態でもよい。活性炭１３７は、交換しやすいよう、図示しない透水性のパッケージで覆われ、筒状の活性炭収容部１３９に収納されている。活性炭収容部１３９の底面には、第一セクション同様、シール部材１５７が設けられている。
【００４２】
メッシュ１３２及び活性炭１３７によってゴミ及び微生物が吸着捕集されるとともに、脱臭が行われる。活性炭１３７の捕集対象物はカルキ、トリハロメタン、有機物、臭気物質、及び塩素系有機物等である。
【００４３】
活性炭１３７としては、植物由来の天然繊維又は鉱物由来の合成繊維、或いは天然繊維と合成繊維との混合物を炭化してバインダを用いて調製した繊維状活性炭が好適である。活性炭１３７には、生物ミネラルを添加しても良い。生物ミネラルは、人体の体液に非常に近いバランスで鉱物成分（Ｋ，Ｃａ，Ｎａ，Ｍｇ）を有する等張液として供給され得る。
【００４４】
さらに、被水質改善水１２１ａは、水質改善手段の第三セクションである中空糸膜１４１により、第三回目の水質改善を受ける。中空糸膜１４１は、中空糸が集積及び固着されて形成されている。中空糸の一端（中空糸膜１４１の一方の端部）は露出しており、中空糸の表面から吸収された水分子が、開放された他端（中空糸の他端）から放出されることにより、０．３ミクロン程度の細かさでのフィルタリングが可能となる。
【００４５】
本実施形態では、中空糸膜１４１が筒状のガイドケース１４２にセットされ、そのガイドケース１４２が第二セクションである活性炭１３７の下面側に設けられている。具体的には、ガイドケース１４２は、活性炭収容部１３９のネジ部１３８にネジ止め固定されている。
【００４６】
符号１４４で示される部分は、ガイドケース１４２の内ネジ部である。第三セクションである中空糸膜１４１では、被水質改善水１２１ａは、中空糸膜１４１によって規定される透過速度で通過して下方へ落下し、中空糸膜１４１の下端部１４３から放出される。下端部１４３が、水質改善された水が自然落下して放出される部分である放出部（水質改善手段の放出部）となる。
【００４７】
中空糸膜１４１としては、孔径が０．０１〜０．０９μｍで周壁部にスリット状の超微細孔が設けられた繊維の集合体が好適である。通水制御手段１１０内の流路１１１の下部から放出された水は、濾過容器１３０の導入部１３１に導入される。
【００４８】
導入部１３１に導入された水に対し、水質改善システムにおいては水質改善材でのフィルタリングによる水流通抵抗がある。このため、水質改善システム内においては水が滞留しやすい傾向にある。例えば、「通水制御手段１１０内の流路１１１の下部からの流入量＞＞第三セクションの中空糸膜１４１透過量」といった関係が成り立ち得る。
【００４９】
したがって、濾過容器１３０の導入部１３１は比較的早い時期から適正水位を維持する一方、貯留手段内の清浄水１２１ｂの水位は徐々に上昇し、最終的には導入部１３１と平衡状態となって（水質改善手段の一例としての濾過容器１３０の導入部１３１と貯留手段の一例としての貯留槽１５０の上部とが同一水面となって）、通水制御手段１１０内の流路１１１が閉鎖され、加圧された原水の供給が停止される。
【００５０】
濾過容器１３０の導入部１３１の基準水位は、通水制御手段１１０により流量制御動作が繰り返されることにより、常時、基準水位の前後で概ね一定の水位に維持される。水質改善後の清浄水１２１ｂは貯留手段の一例である貯留槽１５０及び冷却室１５５に導入され貯留される。
【００５１】
ここで、貯留手段は、第二の大気連通部１５４により大気開放されている。また、貯留手段は、その一部が、仕切り板１５１により上下に二分された部屋を有する構成となっている。上部の部屋は貯留槽１５０であり、下部の部屋は冷却室１５５である。貯留手段の上部の貯留槽１５０、及び下部の冷却室１５５は、断熱及び固定の機能を兼ねる部材で覆われている。この部材は発泡スチロール等の断熱材で形成され得る。
【００５２】
清浄水１２１ｂによる液面位置１５２が、冷却室１５５の底部付近にあるが、徐々に、冷却室１５５の底部から液面位置１５２を上昇させていく。この第三セクションの中空糸膜１４１から貯留槽１５０内の清浄水１２１ｂに落下している状態をパターン１（大気放出）と定義し、大気圧のみが作用する力関係で状態が決定される。
【００５３】
液面位置１５２が水質改善手段の下端を越えると、水質改善手段の出口側には、大気圧に加えて、超えた水位の水頭差分の圧力がかかる。さらに時間が経過して液面位置１５２が上昇し続け、上部の貯留槽１５０が清浄水１２１ｂで満たされて清浄水１２１ｂの水位が適正水位１１７まで上昇した時点で圧力が均衡し、下端部１４３からの清浄水１２１ｂの流出は停止する。
【００５４】
第三セクションの中空糸膜１４１から貯留槽１５０の清浄水１２１ｂ中にさらなる清浄水１２１ｂが落下している状態をパターン２（水中放出）と定義する。貯留手段の下方には温水槽１６０が設けられている。清浄水１２１ｂを導入するための取入口１５６が仕切り板１５１近傍上部に形成され、冷却室１５５より上の液体を導入できるよう、供給管１５３が配置されている。供給管１５３の下端は温水槽１６０の下部１６１に接続されている。
【００５５】
温水槽１６０には、温水取り出し用に、温水槽１６０の上部１６２に接続される温水供給管１６３（一部図示しない）が設けられている。温水供給管１６３の一端は温水コック１７５に接続されている。
【００５６】
温水コック１７５が閉じられている状態では空気で満たされている温水槽１６０には清浄水１２１ｂはほとんど流入できない。温水コック１７５を開くと、貯留槽１５０の清浄水１２１ｂは、供給管１５３を通って温水槽１６０に流入し、温水槽１６０を満たす。
【００５７】
貯留槽１５０の適正水位１１７にあった液面位置１５２は、清浄水１２１ｂが温水槽１６０の容積分供給されることにより一時的に大幅に低下する。この場合、圧力の均衡がこわれ、再び取入口１５６から清浄水１２１ｂが流出し、前述のパターン１、パターン２に従って液面位置１５２が適正水位１１７に戻るまで継続する。
【００５８】
温水槽１６０には図示しない加熱手段があり、図示しない加熱制御手段により温水槽１６０の清浄水１２１ｂは所望の温度の温水になる。一方で、冷却室１５５に蓄積された清浄水１２１ｂは、本体下方に設置した冷凍機１６７からの冷媒伝達管を冷却室１５５の外周に巻き回して形成された冷却部１６９により冷却され、所望の温度の冷水になる。
【００５９】
冷凍機１６７は、冷却室１５５に取り付けられた図示しないセンサーを用い、図示しない温度制御手段により、清浄水１２１ｂの温度を制御する。冷水の取り出しについて説明する。冷却室１５５の底部と冷水コック１７０とが図示しない冷水供給管で接続されている。所望の温度で保存されている冷水を取り出すためには、冷水コック１７０を開く。
【００６０】
冷水コック１７０を開くと、適正水位１１７と冷水コック１７０との水頭差により、冷却室１５５の底部から図示しない冷水排出管を通して冷却された清浄水１２１ｂが供給される。温水の取り出しについて説明する。温水供給管１６３（一部図示せず）が、温水槽１６０と温水コック１７５とを接続している。温水コック１７５を開くと、適正水位１１７と温水コック１７５との水頭差により、温水になった清浄水１２１ｂが排出される。
【００６１】
この時、取り出された温水と同量の清浄水１２１ｂが、供給管１５３を通して貯留槽１５０から温水槽１６０へ補填される。尚、温水槽１６０において供給管１５３を底部に配置し、温水供給管１６３を上部に配置した理由は、常温の清浄水１２１ｂを導入するため、熱対流を考慮して補填水は下部、取り出しは上部としている。
【００６２】
水質改善手段の導入部に設けられる維持手段に関し、維持手段がフロート式の構成を有する一例について説明したが、検知手段としては、水位を電気信号に変換して出力する機構を採用しても良い。流路開閉機構としては、電磁バルブ、或いはモータ等電気の回転手段で流路１１１を開閉する電気機械的な機構を採用しても良い。機構制御手段は、この電気機械的な機構の開閉を、電気的な検知手段からの電気信号に基づいて制御しても良い。
【００６３】
また、検知手段としては、磁気的部材に比重１以下のフロート機能を持たせた磁気的浮力発生部材とリードスイッチとを組み合わせた水位センサーを採用しても良い。また、検知手段としては、超音波式近接センサー、光学式近接センサー等、又は直接水面を検知する直接検知センサーを採用しても良く、機構制御手段がそれらセンサーからの電気信号に基づき電気機械的な流路開閉機構を制御するようにしても良い。
【００６４】
また、水圧によっては、原水供給手段に対しレギュレータを仲介させた場合の方が安定し得るため、レギュレータを仲介させる構成を採用しても良い。
図６は、本開示の実施例における原水取入れ手段と、水質改善手段と、維持手段と、貯留手段とにおいて、原水を注水して適正水位まで清浄水が入って満水となる過程と、各手段の主要部品の動作及び状態とを示す。
【００６５】
清浄水１２１ｂを通常使用する場合は、図６に示すように、使用される清浄水１２１ｂの量によって、水位Ａ、水位Ｂ、水位Ｃの状態から随時適正水位１１７まで清浄水１２１ｂが入って適正水位に戻る。
【符号の説明】
【００６６】
１２０…接続口
１３０…濾過容器
１３７…活性炭  
１３９…活性炭収容部  
１４１…中空糸膜  
１４２…ガイドケース  
１５０…貯留槽  
１５１…仕切り板  
１６０…温水槽  
１６７…冷凍機    
１６９…冷却部
１７０…冷水コック  
１７５…温水コック
【図１】
0006280007.tif 000002
【図２】
0006280007.tif 000003
【図３】
0006280007.tif 000004
【図４】
0006280007.tif 000005
【図５】
0006280007.tif 000006
【図６】
0006280007.tif 000007